(57)【特許請求の範囲】
【請求項１】
本体のノズル部にノズル吐水穴を開閉するためのノズルカバーが回転自在に設けられ、洗浄動作時にはノズル吐水穴を開放できる角度までノズルカバーを回転させて本体に設けたスイッチ部によりポンプを駆動させることによりノズル吐水穴から洗浄水を吐出させるようにし、洗浄停止時にはノズルカバーを回転してノズル吐水穴を封止するようにした水噴出装置において、スイッチ部をロックするロック手段を備え、このロック手段は、スイッチ部の先端とノズルカバーの内壁との間に配置され、ノズルカバーを開位置に回転させたときにスイッチ動作を可能にし、ノズルカバーを閉位置に回転させたときにはスイッチ動作をできなくするストッパー部を備えていることを特徴とする水噴出装置。
【請求項２】
スイッチ部は、押し込み操作される操作部が支点部を軸に回転変位自在とされ、操作部にはその押し込み方向と略平行な方向にスライド可能となったロック部が設けられ、このロック部は、操作部の押し込み方向と略平行な方向に押されたときのみロックが解除されて操作部を押し込み可能とし、操作部の押し込みが解除されたときには操作部を元の位置でロックできるように構成されていることを特徴とする請求項１記載の水噴出装置。
【発明の詳細な説明】
【０００１】
【発明の属する技術分野】
この発明は、例えば局部洗浄に用いられる水噴出装置に関するものである。
【０００２】
【従来の技術】
従来より、携帯用の局部洗浄装置には、様々なスイッチが用いられているが、これらのスイッチには、誤操作を防止するためのロック機構が設けられているのが一般的である。
【０００３】
【発明が解決しようとする課題】
ところが、従来のスイッチのロック機構の殆どは、一度ロック機構を解除してから、スイッチをスライド又は押し込んでポンプのＯＮ、ＯＦＦを行っているため、ロック時及びロック解除時に、それぞれ異なる２種類の操作が必要となり、使い難く、また誤操作も生じ易かった。
【０００４】
本発明は、上記従来例に鑑みてなされたもので、その目的とするところは、一度の操作でスイッチ部のロック動作及びロック解除動作を行うことができ、使用性及び操作性に優れた水噴出装置を提供するにあり、他の目的とすることろは、スイッチ部の誤使用、誤操作を確実に防止できる水噴出装置を提供するにある。
【０００５】
【課題を解決するための手段】
上記課題を解決するために、本発明は、本体１のノズル部２にノズル吐水穴３を開閉するためのノズルカバー４が回転自在に設けられ、洗浄動作時にはノズル吐水穴３を開放できる角度までノズルカバー４を回転させて本体１に設けたスイッチ部５によりポンプ６を駆動させることによりノズル吐水穴３から洗浄水を吐出させるようにし、洗浄停止時にはノズルカバー４を回転してノズル吐水穴３を封止するようにした水噴出装置において、スイッチ部５をロックするためのロック手段７を備え、このロック手段７は、スイッチ部５の先端５ｂとノズルカバー４の内壁との間に配置され、ノズルカバー４を開位置に回転させたときにスイッチ動作を可能にし、ノズルカバー４を閉位置に回転させたときにはスイッチ動作をできなくするストッパー部８を備えていることを特徴としており、このように構成することで、ノズルカバー４を開位置に回転させると、ノズル吐水穴３が開放されると同時に、ストッパー部８によるスイッチ部５のロックが解除されるので、スイッチ部５を操作して洗浄水を吐水させることができる。また、使用後にスイッチ部５から手を離して、ノズルカバー４を閉位置まで回転させると、ストッパー部８によりスイッチ部５が再びロック状態となる。従って、ノズルカバー４を開位置まで回転させない限り、誤って水を噴出させる心配がないものである。
【０００６】
また上記スイッチ部５は、押し込み操作される操作部５ａが支点部１０を軸に回転変位自在とされ、操作部５ａにはその押し込み方向Ａと略平行な方向Ａ′にスライド可能となったロック部１１が設けられ、このロック部１１は、操作部５ａの押し込み方向Ａと略平行な方向Ａ′に押されたときのみロックが解除されて操作部５ａを押し込み可能とし、操作部５ａの押し込みが解除されたときには操作部５ａを元の位置でロックできるように構成されているのが好ましく、この場合、ノズルカバー４を開位置に回転させた状態で、ロック部１１を操作部５ａの押し込み方向Ａと略平行な方向Ａ′に押し込むだけで、スイッチ部５が自動的にロック解除されると同時にＯＮ状態となり、またロック部１１から指を外すことで、ＯＦＦとなり且つ操作部５ａを元の位置でロックできる。また、ロック部１１を上記方向Ａ′に押さない限りスイッチ部５のロックは解除されないので、スイッチ部５の誤使用、誤操作を確実に防止できる。
【０００７】
【発明の実施の形態】
以下、本発明の実施形態の一例として、携帯用の局部洗浄装置１２を例示する。
この携帯用の局部洗浄装置１２は、図１に示すように、本体１の下部に固定されているタンク１３内の水は、本体１内部の電池４０を駆動源とするポンプ６によりホース１４で汲み上げられ、本体１上部に設けたノズル部２に給水される。ノズル部２は、本体１に固定されているノズルベース１５と、その外周にノズルベース１５と密着した状態で回転自在に取付けられたノズルカバー４とから成り、ノズル吐水穴３の開閉がノズルカバー４の回転によって行われるものである。ノズルベース１５の先端にはノズル吐水穴３を有するゴム製のパッキン３２が固定されている。このゴム製のパッキン材３２は、図４、図５に示すように、ノズルカバー４の内壁に突設されたリブ３３と密着するように、ノズルカバー４が本体１に取付けられている。図中の矢印ハは水の流れを示している。ノズルカバー４の内壁に突出形成されたリブ３３は実質的に線状に形成されており、このリブ３３とパッキン材３２とが線接触することにより、ノズルカバー４の回転抵抗が小さく、且つ洗浄時に供給された水によりパッキン材３２がノズルカバー４のリブ３３に押さえつけられるような格好となってノズルベース１５の先端内部で矢印方向ニに向かって膨張し、これにより効果的なシールができるようになっている。
【０００８】
上記ノズルカバー４は、キャップ形状を有し、その先端部にはノズルベース１５の中心部と同心円上で且つ１８０°離れた２箇所に、スポット洗浄吐水穴１７とワイド洗浄吐出穴１８とが穿孔されている。例えばスポット洗浄吐水穴１７は５（ｂ）に示すような円形孔で形成され、ワイド洗浄吐出穴１８は図５（ａ）に示すような横方向に略喇叭状に拡開して形成されている。そして、ノズルカバー４を図３の中心部Ｍを軸に矢印方向に１８０°回転させることによって、ノズル吐水穴３とスポット洗浄吐水穴１７とが一致した状態、又はノズル吐水穴３とワイド洗浄吐出穴１８とが一致した状態のいずれかが得られるものである。ワイド洗浄吐出穴１８から噴出する水は、ワイド洗浄吐出穴１８の内面に当たって扇形に均一に拡散するようになり、一方、スポット洗浄吐水穴１７から噴出する水は拡散せずに直噴されるようになる。尚図５中の１９はノズルベース１５と本体１との嵌合部である。
【０００９】
本体１の首部には、ポンプ６をＯＮ、ＯＦＦするための押し込み式のスイッチ部５が取付けられている。このスイッチ部５は、図６に示すように、その上部が本体１の首部の支点部１０を軸にして回転変位自在に支持されており、これにより支点部１０よりも下側の操作部５ａは支点部１０を軸に斜め下方Ａに回動自在となる。操作部５ａの内面には突部２１が突設されており、この突部２１に対向する位置に、復帰バネ２２を備えた押圧部材２３が本体１内に前後移動自在に支持されている。操作部５ａの押し込み時には突部２１が押圧部材２３を後退させ、本体１内の２つの接点端子２４，２５が接触してＯＮとなり、ポンプ６が駆動し、また操作部５ａの押し込みを解除した時には、復帰バネ２２のバネ力で操作部５ａが元の位置に戻り、ポンプ６が停止する。
【００１０】
ここで、操作部５ａの支点部１０に寄った位置には、操作部５ａの押し込み方向Ａと略平行な方向Ａ′にスライド自在となったロック部１１が設けられている。このロック部１１の裏面には、本体１内に設けた係止凸部２８に係脱自在に係止する係止段部２７が一体に形成されており、ロック部１１を指で操作部５ａの押し込み方向Ａと略平行な方向Ａ′にスライドさせたときのみ係止段部２７が係止凸部２８から外れて、操作部５ａがロック部１１と一緒に支点部１０を軸として内側に押し込み可能となり、ロック部１１から指を外すと、ロック部１１は復帰バネ２２によって操作部５ａと一緒に外側に押し戻されて、ロック部１１の係止段部２７が係止凸部２８に係止した状態に自動的に戻るようにしてある。
【００１１】
また、スイッチ部５の支点部１０よりも上側の先端５ｂはノズルベース１５付近まで延びている。一方、ノズルカバー４内には、スイッチ部５のロックを行うためのロック手段７が配置されている。ロック手段７は、スイッチ部５の先端５ｂとノズルカバー４の内壁との間に配置され、ノズルカバー４がノズル吐水穴３を開く開位置にあるときにはスイッチ部５の動作を可能とし、一方、ノズルカバー４がノズル吐水穴３を封止する閉位置にあるときにはスイッチ部５の動作をできなくするストッパー部８と、前後方向Ｂにスライド自在に配置されたスライド部材９とで構成されている。
【００１２】
ストッパー部８は、ノズルカバー４の内壁に軸方向に沿って突設されたリブ形状をしている。スライド部材９は、図１、図２に示すように、ノズルベース１５の外周面に沿ってスライド自在に且つ周方向に回転止めされた状態で支持された筒部９ａと、筒部９ａに取付けられた１本の脚部９ｂとから成る。筒部９ａはノズルカバー５の内壁と略同心円状に形成されており、筒部９ａの１８０°離れた位置には、前方に開口した一対の凹溝２９が形成されている。また、脚部９ｂは凹溝２９と凹溝２９との中間位置に取付けられ、その後端部がスイッチ部５の先端５ｂに当接している。ここで、ノズルカバー４のスポット洗浄吐水穴１７又はワイド洗浄吐出穴１８のいずれかがノズル吐水穴３に一致する角度（開位置）までノズルカバー４を回転させたときには、図６（ｂ）のようにノズルカバー４のストッパー部８の先端が筒部９ａの２つの凹溝２９のうちのいずれか一方に位置合わせされて挿入可能となり、これによりスライド部材９は凹溝２９の溝深さ分だけノズルベース１５に沿って前後方向Ｂに移動可能となる。この移動長さはスイッチ部５の操作部５ａを一番深く押し込んだ場合、スイッチ部５の先端５ｂが変位する距離Ｄ（図６（ａ））以上の長さに設定されており、これによりスイッチ部５の操作部５ａが押し込み自在となり、一方、ノズルカバー４のスポット洗浄吐水穴１７又はワイド洗浄吐出穴１８のいずれもがノズル吐水穴３と一致しなくなる角度（閉位置）までノズルカバー４を回転させたときには、ストッパー部８の先端が筒部９ａの凹溝２９からずれた位置に移動して筒部９ａに当たって前後方向Ｂに固定され、操作部５ａを押し込み操作できない構造となっている。
【００１３】
しかして、ノズル吐水穴３より洗浄水を吐水させる場合は、ノズルカバー４を開位置まで回転させて、ノズル吐水穴３を開放する。このとき、図６（ｂ）のようにストッパー部８の先端がスライド部材９の凹溝２９に挿入可能な位置となり、スライド部材９は凹溝２９の溝深さ分だけノズルベース１５に沿って前後方向Ｂに移動できる状態となって操作部５ａが押し込み可能となる。この状態で、操作部５ａに設けたロック部１１を指で斜め下方（操作部５ａの押し込み方向Ａと略平行な方向Ａ′）に押し込むと、図６（ａ）のように係止段部２７が係止凸部２８から外れてロック部１１が自動的にロック解除となり、ロック部１１の押し込みによって操作部５ａが下方に回動してスイッチがＯＮとなり、ポンプ６が駆動して、タンク１３内の水がノズル吐水穴３に供給され、ノズルカバー４のスポット洗浄吐水穴１７（又はワイド洗浄吐出穴１８）から噴出する。このとき、ノズル吐水穴３とスポット洗浄吐水穴１７とが一致しているときには、ストレートの吐水流が得られ、またノズル吐水穴３とワイド洗浄吐出穴１８とが一致しているときには、扇状に水が拡散する吐水流が得られる。また、ロック部１１から指を外すと、操作部５ａが復帰バネ２２によって復帰し、ポンプ６が停止して、水の噴出が止まると共に、図７のようにロック部１１の係止段部２７が係止凸部２８に係止されて操作部５ａが自動的にロックされる。その後、ノズルカバー４を閉位置まで回転させると、ノズル吐水穴３がノズルカバー４で封止されると共に、ストッパー部８の先端がスライド部材９の筒部９ａの凹溝２９以外の部分に当接して、スライド部材９が固定され、スイッチ部５はロック状態で保持される。
【００１４】
このように、ノズルカバー４を回転してノズル吐水穴３を開放するという行為だけで、ロック手段７によるスイッチ部５のロックが同時に解除され、ワンタッチで洗浄水を噴出させることができるようになり、また、ノズルカバー４を回転してノズル吐水穴３を封止するという行為だけで、スイッチ部５をロック手段７による元のロック状態にワンタッチで戻すことができる。さらにスイッチ部５にロック部１１を付設して、ロック部１１を上記操作部５ａの押し込み方向Ａと略平行な方向Ａ′に押さない限りスイッチ部５のロックは解除されないようにしたから、スイッチ部５の誤使用、誤操作をより確実に防止できるようになる。しかも、ロック部１１の押し込み可能な方向Ａ′と操作部５ａの押し込み方向Ａとを略平行としたから、ロック部１１の一度の押し込み操作だけで、スイッチ部５のロックを解除できると同時にスイッチ部５のＯＮ動作ができるようになり、操作性がより向上するものである。
【００１５】
また、本実施形態では、２つのスポット洗浄吐水穴１７とワイド洗浄吐出穴１８とをノズルカバー４に設けたことによって、１つのノズルカバー４で扇状噴出とストレートの直射噴出とに切り替えることができ、しかもノズルカバー４を交換する必要がないので、部品数を減らすことができると共に、小型化を図ることができ、携帯に一層便利となる。しかもノズルカバー４を回転させるだけでよいので、切り替え操作を簡単に行うことができる。なお、ノズルカバー４に形成される吐水穴は２つに限定されるものではなく、またスポット洗浄用とワイド洗浄用以外の他の形状のものであってもよいものである。
【００１６】
さらに、ノズルベース１５の先端にゴム製のパッキン材３２を取付け、このパッキン材３２とノズルカバー４の内壁に突設されたリブ３３とが密着するように、ノズルカバー４を本体１に取付けたことによって、リブ３３とパッキン材３２とが線接触することにより、ノズルカバー４の回転抵抗が小さく、且つ洗浄時に供給された水によりパッキン材３２がノズルカバー４のリブ３３に押さえつけられるような格好となってノズルベース１５の先端内部で図４の矢印ニ方向に膨張し、これにより効果的なシールが可能となる。また、ゴム製のパッキン材３２をノズルベース１５とノズルベース４との間に介在させたことによって、ノズルカバー４を成形品とした場合、大幅な肉盗みが可能となり、材料の大幅な削減と、ヒケによるシール性の低下や外観不良の対策にも効果的となる。
【００１７】
図８は他の実施形態を示している。この実施形態では、ノズルベース１５の先端部をノズルカバー４の内面に密着させ、ノズルベース１５の外周面をシールパッキン２０でシールした場合を示している。他の構成は図１の実施形態と同様である。この場合、前記実施形態のパッキン材３２が不要となり、部品数を削減できるという利点がある。なお、ノズルカバー４の内壁とノズルベース１５の先端部とを完全に密着させた場合、シール性は向上するが、ノズルカバー４の回転時に大きな抵抗が発生し、さらに図８に示すノズルベース１５の外周にシールパッキン２０を設けた場合は、ノズルカバー４の回転の抵抗がさらに大きくなり、スムーズな回転ができなくなることが考えられる。
【００１８】
そこで、図９、図１０に示すように、ノズルカバー４の内壁とノズルベース１５の先端部との間に、ノズル吐水穴３を囲むようにシールパッキン３０を挟み込むようにするのが望ましい。これにより、ノズルカバー４の回転時の抵抗を低減させることができると共に、シール性をより向上させることができる。また図１１、図１２に示すように、ノズルベース１５の先端部に、ノズル吐水穴３を囲むように先端が尖った成形品突起部３１を突出させ、成形品突起部３１の先端縁をノズルカバー４の内壁に接触させるようにするのが望ましい。この場合、ノズルカバー４の内壁とノズルベース１５の先端部との接触が線接触となるため、ノズルカバー４の回転抵抗をさらに軽減でき、且つシールパッキンを廃止できるので、部品点数の削減を図ることができる。なお、図１０（ａ）、図１２（ａ）はストレートの吐水流イを示し、図１０（ｂ）、図１２（ｂ）は扇状に水が拡散する吐水流ロを示している。
【００１９】
本発明の水噴出装置は、携帯用の局部洗浄装置１２に限らず、便器に設置される局部洗浄装置にも適用可能である。さらに、局部洗浄装置以外にもスイッチ部を備えた各種の水噴出装置に広く適用可能である。
【００２０】
【発明の効果】
以上説明したように、本発明のうち請求項１記載の発明は、本体のノズル部にノズル吐水穴を開閉するためのノズルカバーが回転自在に設けられ、洗浄動作時にはノズル吐水穴を開放できる角度までノズルカバーを回転させて本体に設けたスイッチ部によりポンプを駆動させることによりノズル吐水穴から洗浄水を吐出させるようにし、洗浄停止時にはノズルカバーを回転してノズル吐水穴を封止するようにした水噴出装置において、スイッチ部をロックするロック手段を備え、このロック手段は、スイッチ部の先端とノズルカバーの内壁との間に配置され、ノズルカバーを開位置に回転させたときにスイッチ動作を可能にし、ノズルカバーを閉位置に回転させたときにはスイッチ動作をできなくするストッパー部を備えているから、ノズルカバーを開位置まで回転させる動作を行うだけで、ストッパー部によるスイッチ部のロックが解除されて洗浄水を噴出できるようになり、また使用後にスイッチ部から手を離してノズルカバーを閉位置に戻す動作を行うだけで、ストッパー部によりスイッチ部をロックできる。従って、ノズルカバーを開位置まで回転させない限り、誤って水を噴出させる心配がなく、水噴出装置の使用性及び操作性が大幅に向上する。
【００２１】
また請求項２記載の発明は、請求項１記載の効果に加えて、スイッチ部は、押し込み操作される操作部が支点部を軸に回転変位自在とされ、操作部にはその押し込み方向と略平行な方向にスライド可能となったロック部が設けられ、このロック部は、操作部の押し込み方向と略平行な方向に押されたときのみロックが解除されて操作部を押し込み可能とし、操作部の押し込みが解除されたときには操作部を元の位置でロックできるように構成されているから、ロック部を操作部の押し込み方向と略平行な方向に押さない限りスイッチ部のロックは解除されないので、スイッチ部の誤使用、誤操作を確実に防止できるようになり、しかも、ロック部の押し込み可能な方向と操作部の押し込み方向とを略平行としたから、ロック部の一度の押し込み操作だけで、スイッチ部のロックを解除できると同時にスイッチ部のＯＮ動作ができるようになり、操作性が一層向上するものである。
【図面の簡単な説明】
【図１】本発明の実施形態の一例を示し、（ａ）は断面図、（ｂ）はノズルカバーのスポット洗浄吐水穴及びワイド洗浄吐出穴の説明図である。
【図２】同上のスライド部材の斜視図である。
【図３】（ａ）（ｂ）は同上のノズルカバーの回転位置の説明図である。
【図４】同上のノズル部の断面図である。
【図５】（ａ）は同上のワイド洗浄吐出穴をノズル吐水穴に位置合わせした状態の断面図、（ｂ）は同上のスポット洗浄吐水穴をノズル吐水穴に位置合わせした状態の断面図である。
【図６】（ａ）は同上のスイッチ部のロック解除状態を説明する断面図、（ｂ）はストッパー部がスライド部材の凹溝内に挿入可能な状態となったときの説明図である。
【図７】同上のスイッチ部のロック状態を説明する断面図である。
【図８】他の実施形態を示し、（ａ）はスポット洗浄吐水穴からの吐水流の説明図、（ｂ）はワイド洗浄吐出穴からの吐水流の説明図である。
【図９】更に他の実施形態を示す断面図である。
【図１０】（ａ）は図９のスポット洗浄吐水穴からの吐水流の説明図、（ｂ）は図９のワイド洗浄吐出穴からの吐水流の説明図である。
【図１１】（ａ）は更に他の実施形態の断面図、（ｂ）は正面図である。
【図１２】（ａ）は図１１のスポット洗浄吐水穴からの吐水流の説明図、（ｂ）は図１１のワイド洗浄吐出穴からの吐水流の説明図である。
【符号の説明】
１  本体
２  ノズル部
３  ノズル吐水穴
４  ノズルカバー
５  スイッチ部
５ａ  操作部
５ｂ  先端
６  ポンプ
７  ロック手段
８  ストッパー部
１０  支点部
１１  ロック部
Ａ  押し込み方向
Ａ′略平行な方向
【図１】
0003772521.tif 000002
【図２】
0003772521.tif 000003
【図３】
0003772521.tif 000004
【図４】
0003772521.tif 000005
【図５】
0003772521.tif 000006
【図６】
0003772521.tif 000007
【図７】
0003772521.tif 000008
【図８】
0003772521.tif 000009
【図９】
0003772521.tif 000010
【図１０】
0003772521.tif 000011
【図１１】
0003772521.tif 000012
【図１２】
0003772521.tif 000013